(57)【要約】【課題】塗工しない部分の幅を広げることなく、ウェブの下面に塗膜を形成したウェブであっても、全幅でレベリング可能とする。【解決手段】塗工手段１と、乾燥手段２と、塗工後のウェブＷを所望の捕捉水平レベルで捕捉し搬送するウェブ搬送駆動手段３と、塗工後のウェブの他面側に配置されウェブの水平レベルをウェブ搬送駆動手段の捕捉水平レベルに向けて矯正するウェブレベル矯正手段４とを備え、ウェブレベル矯正手段４が、塗工後のウェブの他面側にウェブの搬送方向に相互に隙間Ｓを空けて、かつ、ウェブ側の最外水平レベルが捕捉水平レベルとほぼ同一水平レベルになるように、ウェブの全幅にわたるように配置された複数本のフリーローラー４ａ，４ｂと、フリーローラーの反ウェブ面側を覆いその内側にフリーローラー間に挟まれた空気室４ｃを形成させる空気室形成部材４ｄと、空気室に接続される負圧源とを備えた。【選択図】図４
2014122756.tif 000002
【特許請求の範囲】
【請求項１】
ウェブの一面に塗膜を形成させる塗工手段と、塗膜を乾燥させる乾燥手段と、塗膜が形成されたウェブを所望の捕捉水平レベルで捕捉して前記乾燥手段に向けて搬送駆動するウェブ搬送駆動手段と、塗膜が形成されたウェブの塗膜とは反対側の他面側に配置されウェブの水平レベルを前記ウェブ搬送駆動手段の捕捉水平レベルに向けて矯正するウェブレベル矯正手段とを備えたウェブの塗工乾燥装置であって、
前記ウェブレベル矯正手段が、塗膜が形成されたウェブの前記他面側にウェブの搬送方向に相互に隙間を空けて、かつ、前記ウェブ側の最外水平レベルが前記捕捉水平レベルとほぼ同一水平レベルになるように、ウェブの全幅にわたるように配置された複数本のフリーローラーと、当該フリーローラーの反ウェブ面側を覆いその内側に前記フリーローラー間に挟まれた空気室を形成させる空気室形成部材と、当該空気室に接続される負圧源とを備えたことを特徴とするウェブの塗工乾燥装置。
【請求項２】
前記塗工手段により形成される塗膜がウェブの下面であり、前記ウェブレベル矯正手段が、前記ウェブの上面側であって、前記フリーローラーのウェブ側最下水平レベルが前記ウェブ搬送駆動手段の捕捉水平レベルとほぼ同一レベルになるように、ウェブの全幅にわたるように配置されていることを特徴とする請求項１記載のウェブの塗工乾燥装置。
【発明の詳細な説明】
【技術分野】
【０００１】
本発明は、ウェブの片面に塗膜を塗工した後に当該塗膜を乾燥させるウェブ塗工乾燥装置に関する。
【背景技術】
【０００２】
ウェブの塗工乾燥プロセスにおいて、塗工装置で溶液が塗布されたウェブを乾燥オーブンへ導き溶媒を乾燥させる場合には、ウェブの塗工面に搬送ロールを接触させることなく、乾燥オーブンの入口部に向けてしわを発生させることなく、所望の水平レベルに導く、いわゆるレベリングが必要となる。
【０００３】
ここで、塗工装置と乾燥オーブンが直列に設置されている場合には、特許文献１又は２に示されるように、ウェブの両端部に塗膜を形成しない非塗工部分を形成し、ウェブの搬送方向に対して角度を付与したクロスガイダーと呼ばれるローラーをウェブを上下から挟持して配置し、これらのクロスガイダーによりウェブの端部を挟み込んでウェブに幅方向の張力を付与してシワ伸ばしするとともにレベリングすることが行われている。
【０００４】
さらに、塗工装置より上方に乾燥オーブンが設置されている場合には、特許文献３に示されるように、塗工装置により塗膜が形成された面の反対側の面に、ウェブの全幅にわたるサクションロールを配置し、サクションロールによる吸引力によりウェブを吸着してウェブのレベリングを行うようにしたものもある。
【先行技術文献】
【特許文献】
【０００５】
【特許文献１】特開２００３−２５１２６８号公報
【特許文献２】特開平１０−１３９２３６号公報
【特許文献３】特開２００６−３４１１７０号公報
【発明の概要】
【発明が解決しようとする課題】
【０００６】
最近のウェブの塗工乾燥プロセスでは、塗工により形成する塗膜の面積をより大きなものとするためにウェブの幅を可能な限り広くしようと試みる傾向が大きい。
【０００７】
しかし、特許文献１又は２のような手法では、幅広のウェブをその全幅において水平にレベリングするためには、大きな引張力を付与しなければならず、クロスガイダーを大型化したり高剛性のものにしたりすることが必要となるが、このクロスガイダーの大型化などは、クロスガイダーが接触する部分を広くすることを余儀なくされ、クロスガイダーが接触する部分は塗膜を形成できないので、ウェブの幅を広げても、それほど塗膜の形成できる幅を増やすことができず、塗膜形成面積の拡大という当初の目的の達成度が低くなる。
【０００８】
一方、特許文献３に示す手法では、乾燥オーブンが塗工装置よりも上方に設置されている場合に限られ、サクションロールが接触しない上面にしか塗膜を形成させることができないので、ウェブに塗工する塗膜の成分や物理的特性から、ウェブの下面にしか塗膜を塗工できないウェブにおいては、レベリングができず、ウェブ搬送駆動手段の捕捉チャックへの捕捉が不完全ないし不能になってしまう。
【０００９】
本発明は、かかる事情に鑑みてなされたもので、塗工により形成する塗膜の面積をより大きなものとした場合において、塗膜を形成しない部分の幅を広げることなく、全幅で水平にレベリングすることができ、しかも、ウェブの下面に塗膜を形成したウェブであってもしわの発生がなく有効にレベリングすることができるウェブの塗工乾燥装置を提供することにある。
【課題を解決するための手段】
【００１０】
上記課題を解決するために、本発明では、以下のような手段を採用した。
（１）本発明のウェブの塗工乾燥装置においては、ウェブの一面に塗膜を形成させる塗工手段と、塗膜を乾燥させる乾燥手段と、塗膜が形成されたウェブを所望の捕捉水平レベルで捕捉して前記乾燥手段に向けて搬送駆動するウェブ搬送駆動手段と、塗膜が形成されたウェブの塗膜とは反対側の他面側に配置されウェブの水平レベルを前記ウェブ搬送駆動手段の捕捉水平レベルに向けて矯正するウェブレベル矯正手段とを備えたウェブの塗工乾燥装置であって、
前記ウェブレベル矯正手段が、塗膜が形成されたウェブの前記他面側にウェブの搬送方向に相互に隙間を空けて、かつ、前記ウェブ側の最外水平レベルが前記捕捉水平レベルとほぼ同一水平レベルになるように、ウェブの全幅にわたるように配置された複数本のフリーローラーと、当該フリーローラーの反ウェブ面側を覆いその内側に前記フリーローラー間に挟まれた空気室を形成させる空気室形成部材と、当該空気室に接続される負圧源とを備えたことを特徴とする。
（２）本発明のウェブの塗工乾燥装置においては、前記塗工手段により形成される塗膜がウェブの下面であり、前記ウェブレベル矯正手段が、前記ウェブの上面側であって、前記フリーローラーのウェブ側最下水平レベルが前記ウェブ搬送駆動手段の捕捉水平レベルとほぼ同一レベルになるように、ウェブの全幅にわたるように配置されていることを特徴とする。
【発明の効果】
【００１１】
本発明のウェブの塗工乾燥装置によれば、以下のような効果を奏する。
（１）塗膜が形成されたウェブはウェブ搬送駆動手段に捕捉されて搬送駆動されるが、ウェブの自重などを原因としてウェブが下方に弛んでその水平レベルがウェブ搬送駆動手段の捕捉水平レベルから逸脱するとウェブの捕捉が不能又は不完全となりウェブを円滑に乾燥手段内に搬送することができなくなるが、本発明では、塗膜が形成されたウェブの他面側にウェブレベル矯正手段が配置され、ウェブの他面側がウェブレベル矯正手段の複数本のフリーローラーの最外水平レベル部分に接触するとフリーローラー間に形成された空気室に導かれた負圧によりウェブが吸引され、ウェブの水平レベルがウェブ搬送駆動手段の捕捉水平レベルに向けて矯正され、ウェブの捕捉が確実に行うことができ、ウェブにしわやたるみを発生させることなく、円滑な搬送駆動ができる。
（２）塗工手段により形成される塗膜がウェブの下面であっても、ウェブレベル矯正手段がウェブの上面側に配置され、ウェブの上面側がウェブレベル矯正手段の複数本のフリーローラーの最下水平レベル部分に接触するとフリーローラー間に形成された空気室に導かれた負圧によりウェブが吸引され、ウェブの水平レベルがウェブ搬送駆動手段の捕捉水平レベルに向けて矯正され、ウェブの捕捉が確実に行うことができ、ウェブにしわやたるみを発生させることなく、円滑な搬送ができる。
【図面の簡単な説明】
【００１２】
【図１】本発明の一実施例に係るウェブの塗工乾燥装置の全体構成を示す図である。
【図２】図1に示すウェブの塗工乾燥装置において使用されているウェブ搬送駆動手段の一部を示す図である。
【図３】図１に示すウェブの塗工乾燥装置において使用されているウェブレベル矯正手段のウェブの幅方向に沿った断面図である。
【図４】図３に示すウェブレベル矯正手段中のＡ−Ａ断面図である。
【図５】図３に示すウェブレベル矯正手段中のＢ−Ｂ断面図である。
【発明を実施するための形態】
【００１３】
以下に、本発明の実施の一形態に係るウェブの塗工乾燥装置について説明する。
【００１４】
図１に示すように、本実施の一形態に係るウェブの塗工乾燥装置は、ウェブＷの一面（図中下面）に塗膜Ｔを形成させる塗工手段１と、当該塗膜を乾燥させる乾燥手段２と、塗膜が形成されたウェブＷを所望の捕捉水平レベルで捕捉して乾燥手段２に向けて搬送するウェブ搬送駆動手段３と、塗膜が形成されたウェブＷの塗膜とは反対側の他面側に配置されウェブの水平レベルをウェブ搬送駆動手段３の捕捉水平レベルに向けて矯正するウェブレベル矯正手段４とを備えて概略構成されている。
【００１５】
ウェブ搬送駆動手段３は、図１及び図２に示すように、ウェブＷの両側縁部にウェブＷの搬送方向に沿って複数配置されたクランプ部材３ａを備えている。各クランプ部材３ａは駆動機構により水平面内で走行駆動されるループ状のチェーン３ｅに所定間隔で固定されている。クランプ部材３ａは、ウェブ捕捉位置近傍に設けたカムブロックにクランプレバー３ｂの上端３ｃを接触させ、クランプレバー３ｂの上端３ｃを図中点線の位置から実線の位置に揺動させ、クランプレバー３ｂの下端３ｄとチェーン３ｅとの間でウェブＷを挟持して捕捉し、チェーン３ｅを駆動してウェブＷの搬送を行う。
【００１６】
ウェブレベル矯正手段４とウェブ搬送駆動手段３との距離は、０より大きく、１ｍ以下であることが好ましい。この距離が０に近すぎると、ウェブレベル矯正手段４とウェブ搬送駆動手段が接触する可能性がある。具体的には、ウェブ搬送駆動手段３を装着したチェーン３ｅの運行形状から、０に近い場所に設置することは難しい。距離が無限大に大きすぎると、しわ・たるみが発生する可能性がある。
【００１７】
図３、図４、図５に示すように、ウェブレベル矯正手段４は、その塗工乾燥工程（ライン）で製造するウェブＷの最大幅かそれよりも若干大きめの幅寸法を有する２本のフリーローラー４ａ，４ｂを備えている。フリーローラーの表面はクロムメッキで覆われている。２本のフリーローラー４ａ，４ｂは、図４又は図５に示すように、ウェブＷの搬送方向に相互に隙間Ｓを持たせて配置されている。Ｓとは、フリーローラーの中心間距離を示す。フリーローラー４ａ，４ｂは、最外水平レベル（図では最下部水平レベル）が捕捉水平レベルとほぼ同一水平レベルになるように配置されている。フリーローラー４ａ，４ｂの反ウェブ側には空気室形成部材４ｄが配置され、当該空気室形成部材４ｄの両端面には端板４ｅが固定され、端板４ｅにフリーローラー４ａ，４ｂが回転自在に保持されている。空気室形成部材４ｄの上面には内部の空気室４ｃに連通する連通口４ｆが形成され、連通口４ｆには負圧配管（図示せず）は接続されて、空気室４ｃ内が負圧状態となるようにしている。Ｓが大きすぎると、空気室４ｃから空気が漏れて負圧状態を維持できなくなる。Ｓが小さすぎると、フリーローラー間の抵抗が増すため、空気室４ｃへウェブ表面近くから空気が流れなくなるため、フリーローラーとウェブが形成する真空状態を維持できなくなる。
【００１８】
なお、本ウェブの塗工乾燥装置においては、塗工手段１により形成される塗膜ＴがウェブＷの下面であり、ウェブレベル矯正手段４が、ウェブＷの上面側であって、フリーローラー４ａ，４ｂのウェブ側最下水平レベルがウェブ搬送駆動手段３の捕捉水平レベルとほぼ同一レベルになるように、配置されている。
【００１９】
図４に、図３中の連通口４ｆ部分の断面図（図中Ａ−Ａ断面図）を示す。空気室形成部材４ｄとフリーローラー４ａ，４ｂとに囲まれた空間には空気室４ｃが形成され、フリーローラー４ａ，４ｂの最下部はウェブ搬送駆動手段３の捕捉水平レベルウェブになるように設置されており、空気室４ｃに導かれた負圧によりウェブＷが吸引されてウェブＷの水平レベルが所望の捕捉水平レベルに矯正される。
【００２０】
図５は、図３中の端板４ｅから少し中心側に入った部分の断面図（図中Ｂ−Ｂ断面図）を示す。閉塞部材４ｇがフリーローラー４ａ，４ｂの隙間を覆って挿入固定され、空気室４ｃからの負圧が漏出しないようになっている。すなわち、フリーローラー４ａ，４ｂの最大長さよりも短い幅寸法のウェブＷの水平レベルを矯正して搬送する場合には、閉塞部材４ｇを配置しないと、この部分にまでウェブＷがオーバーラップしなくて空気室４ｃが外部に解放されてしまい、空気室４ｃを負圧に維持することができなくなるからである。閉塞部材４ｇは、ブロック状の樹脂である。真空にするために風圧がかかるので、充填されたブロック状のものが好ましく、その材料は、ナイロンであることが好ましい。
【００２１】
次に、本ウェブの塗工乾燥装置の作用などについて説明する。
【００２２】
図１に示すように、合成樹脂製のウェブＷの下面に塗工手段１により溶媒で溶解された塗膜成分が吹き付けられて塗膜Ｔが形成されたウェブＷは、人力により図中右側に設けられた乾燥オーブンのような乾燥手段２に向けて引き出される。引き出されたウェブＷは、ウェブ搬送駆動手段３の捕捉手段であるチャック部材３ａにおいてクランプレバー３ｂの下端部３ｄとチェーン３ｅとの間に挟持される。
【００２３】
この後は、チェーン３ｅを駆動機構により走行駆動することによりウェブＷを次々に連続的にチャック部材３ａにより挟持してウェブＷを乾燥手段２内を通して搬送して塗膜の溶媒を乾燥させる。
【００２４】
ここで、ウェブ搬送駆動手段３によりウェブＷを搬送する際にウェブＷの自重などにより下方に緩む（撓む）とウェブＷの水平レベルがウェブ搬送駆動手段３のチャック部材３ａによる捕捉水平レベルから逸脱することがあると、チャック部材３ａによる捕捉が不完全になったり不能になったりして、ウェブＷの搬送に支障が生ずる。
【００２５】
そこで、本ウェブの塗工乾燥装置では、ウェブＷを安定して乾燥手段２に搬送するために、ウェブＷの水平レベルがウェブ搬送駆動手段３の捕捉水平レベルとほぼ同一レベルになるように、ウェブＷの水平レベルを矯正するウェブレベル矯正手段４がウェブＷの塗膜とは反対側の他面側に設けられている。
【００２６】
すなわち、ウェブレベル矯正手段４の下方を搬送されるウェブＷは、図１、図４、図５に示すように、２本のフリーローラー４ａ，４ｂの最下部に近接又は接触すると、フリーローラー４ａ，４ｂ間に形成さえた空気室４ｃに導かれた負圧により吸引される。フリーローラー４ａ，４ｂの最下部はウェブ搬送駆動手段３の捕捉水平レベルとほぼ同一レベルになるように設置されているので、空気室４ｃに吸引されたウェブＷは捕捉水平レベルに矯正されることになる。このウェブレベルが捕捉水平レベルに矯正されることにより、ウェブ搬送駆動手段３のチャック部材３ａに確実にかつ円滑に捕捉させて、円滑に搬送することができる。
【００２７】
上記実施の形態にかかるウェブの塗工乾燥装置では、ウェブＷの下面に塗膜Ｔを形成する塗工を施すとともにウェブＷの上面にウェブレベル矯正手段４を配置した例を示したが、これとは反対に、ウェブＷの上面に塗膜を形成する塗工手段を設けるとともに、ウェブレベル矯正手段をウェブの下面に配置するようにしたものでも、同様にウェブレベルをウェブ搬送駆動手段の捕捉水平レベルにレベリングすることによりウェブの搬送を確実に行うことができる。
【００２８】
また、フィルム端部に非塗工部分を設ける必要がないので、塗工部分を大きくとることが可能であり、フィルムを有効に製品化することができるので、生産効率があがる。
【符号の説明】
【００２９】
１    塗工手段
２    乾燥手段
３    ウェブ搬送駆動手段
３ａ  クランプ部材
３ｂ  クランプレバー
３ｃ  クランプレバーの上端部
３ｄ  クランプレバーの下端部
３ｅ  チェーン
４    ウェブレベル矯正手段
４ａ，４ｂ  フリーローラー
４ｃ  空気室
４ｄ  空気室形成部材
４ｅ  端板
４ｆ  連通口
４ｇ  閉塞部材
Ｓ    隙間
Ｔ    塗膜
Ｗ    ウェブ
【図１】
2014122756.tif 000003
【図２】
2014122756.tif 000004
【図３】
2014122756.tif 000005
【図４】
2014122756.tif 000006
【図５】
2014122756.tif 000007